(57)【要約】【課題】人が足を取られることなく通過することができる、安全性と作業性に優れたネズミ返しの装置を提供する。【解決手段】人の膝程度の高さを有する２枚以上の板から構成される。ネズミ返しを構成する板のうち1枚は出入口の縦枠８に磁力で接合され、一枚はもう一方の出入口の縦枠８に磁力で接合され、板同士はその表面を重接させ、前記重接部において磁力６を介して接合することにより板間が閉じた状態を保持しており、かつ床面、敷居との間にすき間を生じない状態で設置される。入退出時に板上端辺４に足を引っ掛けても、磁力で接合された部分から分離し、各板が床に倒れる。分離後も容易に原状復帰ができ、複数の板を使用すること、磁石と接合する磁性材料７を幅広にすることで、ネズミ返し全体の幅を出入口幅に応じて調整することができる。【選択図】図１
0003221305.tif 000002
【実用新案登録請求の範囲】
【請求項１】
出入口を小動物が通過するのを防止するために前記出入口の足元部分に設置するネズミ返しの装置であって、
前記装置は上端辺を超えての前記小動物の通過を妨げるに十分な高さを有する２枚以上の板からなり、
前記複数枚の板のうち一の板は前記出入口の一方の縦枠に磁力により接合し、
前記複数枚の板のうち他の板は前記出入口のもう一方の縦枠に磁力により接合し、
前記板同士はその表面を重接させ、前記重接部を磁力により接合することにより板間が閉じた状態を保持し、
下端辺と床面または敷居との間に前記小動物の通過を許す隙間を有さず、
不通行時は板表面の一部が重接することにより板間が閉じた状態を保持することを特徴とするネズミ返しの装置。
【請求項２】
前記板の前記出入口の縦枠と接触する前記板の表面および前記板同士が重接する表面に磁石が付設され、前記板と縦枠との接触部および板同士が重接する面において、前記磁石の磁力を介して互いに吸着することを特徴とする請求項１に記載のネズミ返しの装置。
【請求項３】
前記出入口の縦枠と前記板との接触面には磁性材料が設けられることを特徴とする請求項１または２に記載のネズミ返しの装置。
【請求項４】
前記板同士が重接する箇所において、互いに対向する面の一方には磁石が付設され、他方には磁性材料が付設されることを特徴とする請求項１から３のいずれかに記載のネズミ返しの装置。
【請求項５】
磁性材料の幅が前記磁石の幅よりも広いことを特徴とする請求項３または４に記載のネズミ返しの装置。
【考案の詳細な説明】
【技術分野】
【０００１】
本考案は、動物飼育室又は実験室に設置されるネズミ返しの装置に関する。    
【背景技術】
【０００２】
大学や企業等に於いて動物を飼育したり実験で用いたりする場合には、その飼育室や実験室には、誤って放してしまったネズミ等の小動物（以後、「ネズミ等」という）が、さらに部屋の外に逃げないように、部屋の出入口にネズミ返しが設置されている。
【０００３】
従来、ネズミ返しは出入口をネズミ等が通過できないようにするために、図５に示すように、大人の膝ほどの高さの金属製、プラスチック製または木製の板を出入口の床上に立て、作業者はこれを跨いで通過する。
【０００４】
従来のネズミ返しは出入口を床上一定高さまで塞いでネズミ等の通過を防ぐことから効果に優れる半面、ネズミ返しの板が出入口の枠に固定されているため、作業者が跨ぐときに足を取られて転倒する事故が多かった。
【０００５】
特に飼料や作業備品等を抱えたり、急いで部屋を行き来したりする際には、ネズミ返しに躓いて転倒することで大きな事故につながることが多かった。このため作業環境の早急の改善が必要であった。
【０００６】
このような状況に鑑み、実用新案登録第３１９３１７３号では、図６に示すような、出入口の左右の縦枠に回動自在に軸付けされた２枚の板により構成されたネズミ返しが考案されている。当該新案において、前記２枚の板は、人が通らないときには、図７に示すように、出入口中央付近において一部が重接する形で接続し、出入口下部を塞いでいる。
【０００７】
しかし人が跨いで通過する際にその足がネズミ返しに引っ掛かれば、その力で出入口の縦枠に軸付けされた左右の端辺を軸に回動して出入口の中央で開くことで、人が前のめりに転倒することを回避できるとしている。
【考案の概要】
【考案が解決しようとする課題】
【０００８】
従来はネズミ返しを構成する２枚の板は、蝶番等により出入口を構成する建枠に軸付されるため、付設に手間と時間が掛かる。またいったん取り付けると、取り外したり交換したりするのにも手間と時間が掛かる。このため未使用時の取り外し、破損時の交換を容易に実施しえないという問題がある。
【０００９】
前記のような構造上、当該新案のネズミ返しは、一つの部屋の出入口につき一つ設置しなければならない。このため設置コストも割高になる。
【００１０】
また最も重要な安全面においても、当該新案では、ネズミ返しを構成する２枚の板は、出入口の縦枠に軸付けされた左右の端辺を軸に回転することから、板上端辺と床面からの高さは、常に一定であり、したがって当該ネズミ返しを跨いで通過する際に足を引っ掛けた場合、板の上端辺を乗り越えて転倒し、大事故につながる危険を完全には排除できない。特に、入口の幅が広くなり、ネズミ返しを構成する板の幅が広くなるほど、板の回転が追い付かなくなり、応答性が悪くなるため、大事故につながる可能性は高くなる。
【００１１】
さらに足が引っ掛かって人が前のめりに転倒するときに、ネズミ返しを構成する板には、出入口縦枠に軸付けされた端辺を軸に回転する方向のみならず、板下端辺を軸にして板上端辺を前方床方向に引き倒す力も作用する。これにより出入口の縦枠の軸付け部に回転方向と垂直な力が作用し、軸付けが破損する可能性が大きい。
【００１２】
また軸付け部が持ちこたえても、板そのものが変形・破損する可能性もある。軸付け部の破損、板の変形・破損が発生すると、前記に示した構造上の問題により、復旧に手間と時間がかかる。
【００１３】
上述の問題に鑑み、本考案においては付設・取り外しが容易で、ネズミ等の通過を確実に防止するとともに、人が足を取られて転倒することを確実に防止し、かつ誤って躓いた場合も装置の破損の可能性が少なく、復旧に要する時間と手間のかからない、安全性と作業性に優れたネズミ返しの装置を提供することを課題とする。
【課題を解決するための手段】
【００１４】
上記課題を解決するため、請求項１のネズミ返しの装置は、大人の膝程度の高さを有する２枚以上の板から構成され、前記２枚の板のうち１枚は出入口の一方の縦枠と磁力により接合し、前記板の１枚はもう一方の縦枠と磁力により接合し、前記板同士はその表面を重接させ、前記重接部を磁力により接合することにより板間が閉じた状態を保持し、前記板の下端辺と床面または敷居との間に小動物の通過を許す隙間を有さない。
【００１５】
前記２枚以上の板は、人の力が加わらないときには、出入口下部を塞いでいる。しかし人が跨いで通過する際にその足がネズミ返しに引っかかれば、縦枠との接合部および板同士の接合部から分離し、ネズミ返しを構成する板が床面に倒れることで、人が前のめりに転倒する大事故を回避できるようになっている。
【００１６】
請求項２の装置は、前記板と前記出入口の縦枠および板同士の重接部が磁力で接合できるよう、前記縦枠との接触部および板同士の重接部において板表面に磁石を付設したものである。 
【００１７】
さらに請求項３の装置では、出入口の縦枠が磁性材料でない場合に、縦枠に磁性材料を貼り付けることで、前記板を磁力により接合できるようにしたものである。
【００１８】
また請求項４の装置はネズミ返しを構成する板が磁性材料でない場合に、板同士が重接する部分の一方の板に磁石を、一方の板に磁性材料を貼り付けることで、板同士を磁力により接合できるようにしたものである。
【００１９】
さらに請求項５の装置は前記板に張り付ける磁性材料の幅を広くすることで、ネズミ返し全体の幅を出入口の幅に応じて調整可能にしたものである。
【考案の効果】
【００２０】
本考案に係るネズミ返しの装置は、ネズミ等の力では開かないが、人の足がふれて力が加わったときには縦枠との接合部および板同士の接合部から分離し、ネズミ返しを構成する板が床面に倒れるため、従来多く発生していた躓きによる転倒を防止することができる。
【００２１】
以下の理由により動物飼育室や実験室等における作業環境が大きく改善する。
（１）部屋に入る際、部屋から出る際のいずれの場合においても、本装置を跨いだときに足が触れると、縦枠との接合部および板同士の接合部から分離し、ネズミ返しを構成する板が床面に倒れるため、従来多く発生していた躓きによる転倒、特に板上端辺を乗り越えて転倒する大事故を防止することができる。
（２）出入口の幅に応じてネズミ返しを構成する板の枚数を増やすことにより、足が触れて板が分離する際の応答性を高めることができ、さらなる安全性向上を図ることができる。
（３）出入口の縦枠への接合、板同士の接合とも磁力を介して行われるので、取り付け、取り外しを容易に行うことができる。
（４）縦枠への取り付けは磁力を介して行われるので、板に躓いた場合も容易に縦枠から分離するため、板の破損を抑制できる。また仮に板が破損した場合も容易に交換作業を行うことができる。
（５）縦枠が磁性材料でない場合に、縦枠に磁性材料を貼り付けることにより、磁力による板との接合が可能になる。
（６）板が磁性材料でない場合でも、板同士が重接する部分の一方の表面に磁石を、もう一方の表面に磁性材料を付設することで、板同士の磁力による接合が可能となる。これにより、例えばアルミ板など軽量な素材で板を製作することができるので、取り付け・取り外し時の作業負荷が軽減され、安全性の向上にも繋がる。
（７）前記板に敷設する磁性材料の幅を広くすることで、ネズミ返し全体の幅を出入口の幅に応じて調整することが可能となる。さらに幅の広い出入口にはネズミ返しを構成する板の枚数を増やすことで、複数の出入口においてネズミ返しを共有することができ、ネズミ返しの製作に係る投資額を抑えることが可能となる。
【図面の簡単な説明】
【００２２】
【図１】本考案に係る２枚の板で構成されたネズミ返しの装置の閉じた状態を示す斜視図である。
【図２】本考案に係る３枚の板で構成されたネズミ返しの装置の閉じた状態を示す斜視図である。
【図３】本考案に係るネズミ返しの装置の縦枠と板Ａとの接合部分を上から見た図である。
【図４】本考案に係るネズミ返しの装置の板Ｃと板Ｂとの接合部分を上から見た図である。
【図５】従来のネズミ返しの装置の斜視図である。
【図６】実用新案登録第３１９３１７３号のネズミ返しの装置の開いた状態を示す斜視図である。
【図７】実用新案登録第３１９３１７３号のネズミ返しの装置の閉じた状態を示す斜視図である。
【００２３】
以下、本考案の実施形態について図を用いて説明する。
【実施例】
【００２４】
図1に示すように、本考案によるネズミ返しの装置は、出入口の左右の縦枠８に磁力により接合された２枚の板ＡおよびＢからなる。出入口の幅が広い場合には、図２に示すように板Ｃを含めた３枚の板を用いる。さらに出入口の幅が広い場合には３枚以上の板を用いる。板の材質は鉄、アルミ、ステンレス等の金属、木材、プラスチック等である。
【００２５】
板ＡおよびＢの、縦枠８との接触面には磁石６が付設されている。縦枠８を構成する素材が磁性材料でない場合は縦枠に磁性材料７を付設する。これにより、板ＡおよびＢは縦枠８に磁力により接合される。なお図1および図２においては縦枠に磁性材料７を、板に磁石６を付設しているが、縦枠に磁石６を、板に磁性材料７を付設しても構わない。また磁性材料７として磁石６を使用しても構わない。
【００２６】
図1における板ＡおよびＢの重接した部分の、少なくとも一方の表面に磁石６を付設する。また板ＡおよびＢが磁性材料でない場合は、磁石６と接触する面に磁性材料７を付設する。図1においては板Ａに磁石６を、板Ｂに磁性材料7を付設しているが、板Ａに磁性材料7、板Ｂに磁石を付設しても構わない。また磁性材料7は磁石6であっても構わない。
【００２７】
入り口の幅が広い場合には、図２に示すように板Ａと板Ｃ、板Ｂと板Ｃの重接した部分の、少なくとも一方の表面に磁石６を付設する。また磁石６と接する板が磁性材料でない場合は、表面に磁性材料７を付設する。図２においては板ＡおよびＢに磁石６を、板Ｃに磁性材料７を取り付けているが、それぞれ磁石６と磁性材料7が入れ替わっても構わない。また磁性材料７として磁石６を付設しても構わない。さらに入り口の幅が広い場合には３枚以上の板を、同様の方法にて接合して使用する。
【００２８】
図３、図４に示すように、磁性材料７は、重接される磁石６よりも幅広になっているので、出入口の幅に応じてネズミ返し全体の幅を調整して使用する。ここで磁性材料および磁石の幅方向は出入口の幅方向に対応する方向である。
【００２９】
作業者が通過するときは、ネズミ返しを跨ぐことになるが、その際、足が板に取られても、その力で板ＡおよびＢは出入口の縦枠８から容易に分離し、さらに板ＡとＢ、または板Ａと板Ｃおよび板Ｂと板Ｃの重接部分でも板が容易に分離して各板が床に倒れるため、作業者が板上端辺４を乗り越えて転倒することはない。また板の変形・破損なども抑制できる。
【００３０】
分離した板ＡおよびＢは縦枠８に磁力により容易に接合でき、また板ＡとＢまたは板ＡとＣおよび板ＢとＣも磁力により容易に接合することができるので、手間と時間を掛けることなく図1または図２の状態に復旧することができる。
【符号の説明】
【００３１】
1   板Ａ
2   板Ｂ
3   板Ｃ
4   上端辺
5   下端辺
6   磁石
7   磁性材料
8   出入口縦枠
9   軸付部（バネ付蝶番）
10  従来のネズミ返しの装置
【図１】
0003221305.tif 000003
【図２】
0003221305.tif 000004
【図３】
0003221305.tif 000005
【図４】
0003221305.tif 000006
【図５】
0003221305.tif 000007
【図６】
0003221305.tif 000008
【図７】
0003221305.tif 000009